(57)【特許請求の範囲】
【請求項１】
腹側領域を覆う前側生地と、
背側領域から股間領域を覆う連続した後側生地と、
前記前側生地の左右方向の一端部に形成された結合部と前記後側生地の背側部分の左右方向の一端部に形成された結合部とを着脱自在に結合する第１結合手段と、
前記前側生地の左右方向の他端部に形成された結合部と前記後側生地の背側部分の左右方向の他端部に形成された結合部とを着脱自在に結合する第２結合手段と、
前記前側生地の下端部に形成された結合部と前記後側生地の股間部分の下端部に形成された結合部とを着脱自在に結合する第３結合手段と、を有し、
前記第１結合手段及び前記第２結合手段の結合によって筒体状の胴部開口を形成し、前記第３結合手段の結合によって一対の脚部開口を形成し、
前記第１結合手段、前記第２結合手段、及び前記第３結合手段は、互いに識別可能な識別手段を有し、
装着されたときに、前記第３結合手段が被装着者の股間領域から前記腹側領域に寄っており、
前記前側生地の上部位置外側には前記前側生地を外側に折り返して着脱自在に固定する第１固定手段を有し、かつ、前記後側生地における前記背側部分には前記股間部分を外側に折り返して着脱自在に固定する第２固定手段を有することを特徴とするパンツ型装着物。
【請求項２】
前記前側生地の左右方向の前記一端部及び前記他端部に形成された結合部の幅であって、前記結合部の前記前側生地の先端部側の辺からその辺と対向する反対辺までの距離をαとしたとき、
前記後側生地の前記背側部分の左右方向の前記一端部及び前記他端部に形成された前記結合部が、前記後側生地の先端部よりもα／２以上内側に寄った位置に形成されている請求項１に記載のパンツ型装着物。
【請求項３】
前記パンツ型装着物が装着されたときに、前記第１結合手段及び第２結合手段が被装着者の脇腹領域よりも前記腹側領域に寄っている請求項１または２に記載のパンツ型装着物。
【請求項４】
前記前側生地は形状及び／又はサイズの異なる複数種類を有し、被装着者の体型によって交換可能である請求項１から３の何れか１項に記載のパンツ型装着物。
【請求項５】
前記パンツ型装着物は、介護用パンツ、介護用オムツ、子供用オムツ、産褥ショーツの何れかである請求項１から４の何れか１項に記載のパンツ型装着物。
【発明の詳細な説明】
【技術分野】
【０００１】
本発明はパンツ型装着物に係り、特に老人の介護用パンツ又は介護用オムツ、乳幼児がトイレのトレーニングをする子供用オムツ、産褥ショーツ等として便利なパンツ型装着物に関する。
【背景技術】
【０００２】
従来、介護が必要な老人等の被介護者のためのパンツやオムツ等のパンツ型装着物が販売されている。このようなパンツ型装着物を装着した被介護者のうち、歩行が可能な被介護者はトイレにおいて介護者に付き添われながら排尿や排便を行う。
【０００３】
しかしながら、従来の通常の介護用パンツや介護用オムツのように両サイドに粘着テープや面ファスナー等の結合手段があるパンツ型装着物は、排尿や排便の際に、パンツ型装着物を両足の途中まで下ろさなくてはならない。この場合、介護者は被介護者が転倒しないように支えながらパンツ型装着物を下ろさなくてはならず、介護者にとって負担になる。
【０００４】
また、被介護者の失禁等によりトイレ使用時にパンツ型装着物の汚れが認められたり、排尿時や排便時に排尿や排便がパンツ型装着物に付着して汚れたりすることがある。
この場合には、介護者はトイレ内で汚れたパンツ型装着物を新しいパンツ型装着物に交換する必要があるが、一般的には被介護者を立たせた状態で行う。
【０００５】
しかしながら、従来の通常の介護用パンツや介護用オムツのように両サイドに粘着テープや面ファスナー等の結合手段があるパンツ型装着物は、介護者は被介護者に新しいパンツ型装着物を装着するときに大きな負担を感じる。
【０００６】
即ち、新しいパンツ型装着物を被介護者に装着する場合、介護者は被介護者の股間部分からパンツ型装着物を通した後、落ちないようにパンツ型装着物を一方の手で押さえながら、他方の手で両サイドの結合手段を順番に結合する。特に、トイレ内が狭く、パンツ型装着物を被介護者に装着する際に、介護者が被介護者の周りを移動できない場合には、負担が大きい。
【０００７】
このように、パンツ型装着物の交換時に一方の手でパンツ型装着物を押さえることは、介護者にとって無理な姿勢を強いることになり、負担が大きいとともに迅速な交換の妨げになっていた。
このような背景から、特許文献１には、股間領域に開口部を有するオムツ本体と、開口部をオムツ本体の内側から塞ぐ吸収性パッドと、吸収性パッドとオムツ本体とを分離可能に固定する固定手段とを備えたオムツが提案されている。このオムツによれば、介護者の負担を軽減できるとされている。
【０００８】
また、特許文献２には、股間部分と、その一端側に連続して設けた覆い部と、他端側に連続して設けた後身頃と、当該後身頃の両側部より側方に延出する右前身頃と左前身頃を備え、右前身頃と左前身頃の端部を腹部側において重ね合わせ、当該重ね合わせ部分を着脱自在に結合させて前身頃を構成すると共に、当該前身頃の上に覆い部を重ね合わせてその先端部を前身頃に着脱自在に結合させて構成した介護用パンツが提案されている。この介護用パンツによれば、着脱が容易で介護者の負担を軽減できるとされている。
【先行技術文献】
【特許文献】
【０００９】
【特許文献１】特開２０１０−１７３８５号公報
【特許文献２】特開２００９−１８０９６号公報
【発明の概要】
【発明が解決しようとする課題】
【００１０】
しかしながら、特許文献１の股間領域の開口部は吸収パッドをオムツ本体に着脱したり、排泄物受容器に接続したりするためのものである。したがって、トイレで排尿や排便の際には、パンツ型装着物を両足の途中まで下ろさなくてはならず、介護者の負担解消にはならない。
【００１１】
一方、特許文献２の介護用パンツは、覆い部と前身頃との結合を解除することで、股間が解放されるので、介護用パンツをはいたままで排尿や排便を行うことができる。
しかしながら、覆い部と前身頃との結合を解除することで、股間部分に連続して更に覆い部が垂れ下がるので、垂れ下がり部分が長くなり、垂れ下がり部分が便器内に接触して汚れてしまうという欠点がある。
【００１２】
このように、従来のパンツ型装着物は、一長一短があり機能的に十分とは言えず、介護者から次の３点全てを満足することができるパンツ型装着物の要望が大きい。
（１）被介護者が排尿や排便の際に、パンツ型装着物を両足の途中まで下ろさないで行うことができること(以下「装着状態での排尿や排便」という)。
【００１３】
（２）トイレ等の狭い空間でのパンツ型装着物の装着時における介護者の負担をできるだけ軽減できること（以下「装着時の介護者の負担軽減」という)。
（３）被介護者が便座に座って排尿又は排便する際にパンツ型装着物の一部が便器内に垂れ下がって汚れないこと（以下「排尿又は排便での汚れ防止」という）。
【００１４】
本発明は、このような事情に鑑みてなされたもので、装着状態での排尿や排便、装着時の介護者の負担軽減、及び排尿又は排便での汚れ防止の全てを満足することができるパンツ型装着物を提供することを目的とする。
【課題を解決するための手段】
【００１５】
本発明のパンツ型装着物は、腹側領域を覆う前側生地と、背側領域から股間領域を覆う連続した後側生地と、前記前側生地の左右方向の一端部に形成された結合部と前記後側生地の背側部分の左右方向の一端部に形成された結合部とを着脱自在に結合する第１結合手段と、前記前側生地の左右方向の他端部に形成された結合部と前記後側生地の背側部分の左右方向の他端部に形成された結合部とを着脱自在に結合する第２結合手段と、前記前側生地の下端部に形成された結合部と前記後側生地の股間部分の下端部に形成された結合部とを着脱自在に結合する第３結合手段と、を有し、前記第１結合手段及び前記第２結合手段の結合によって筒体状の胴部開口を形成し、前記第３結合手段の結合によって一対の脚部開口を形成することを特徴とする。
ここで、生地とは布素材に限定するものではなく、紙オムツに使用されるパルプ素材も含むものとする。
【００１６】
本発明のパンツ型装着物によれば、例えば介護者が立った状態の被介護者にパンツ型装着物を装着する場合、前側生地と後側生地との例えば第１結合手段だけを予め結合した展開状態のパンツ型装着物を被介護者の腰に回して第２結合手段を結合する。これにより、パンツ型装着物は被介護者から脱落することはない。次に、介護者は前側生地と後側生地との下端部同士を第３結合手段で結合する。
【００１７】
また、被介護者が便座に座って排尿や排便をする場合、介護者は被介護者のズボンを下ろした後、第３結合手段の結合を外して股間部を露出させ、パンツ型装着物を装着したまま被介護者を便座に座らせる。これにより、従来の両サイドにのみ結合手段を有する従来のパンツ型装着物（例えば特許文献１）のように、パンツ型装着物を下ろさなくても排尿や排便を行うことができる。この場合、パンツ型装着物の一部が垂れ下がるが、垂れ下がるのは後側生地の股間部分のみであり、従来のパンツ型装着物(例えば特許文献２)のように、股間部分に連続して更に覆い部が垂れ下がる場合よりも垂れ下がりが少ない。したがって、垂れ下がり部分が便器内に接触しにくいので、パンツ型装着物が汚れにくい。
このように、本発明のパンツ型装着物は、装着状態での排尿や排便、装着時の介護者の負担軽減、及び排尿又は排便での汚れ防止の全てを満足することができる。
【００１８】
本発明においては、前記第１結合手段、前記第２結合手段、及び前記第３結合手段は、互いに識別可能な識別手段を有することが好ましい。これにより、第１結合手段の結合部と第２結合手段の結合部を間違って結合してしまうことがないので、パンツ型装着物を被介護者に容易且つ迅速に装着することができる。
【００１９】
本発明においては、前記前側生地の上部位置外側には前記前側生地を外側に折り返して着脱自在に固定する第１固定手段を有し、前記後側生地における前記背側部分には前記股間部分を外側に折り返して着脱自在に固定する第２固定手段を有することが好ましい。これにより、第３結合手段の結合を外した後、前側生地を外側に折り返して第３結合手段の結合部を第１固定手段に固定し、後側生地を外側に折り返して第３結合手段の結合部を第２固定手段に固定できる。
【００２０】
したがって、被介護者が便座に座って排尿や排便をする場合に、パンツ型装着物の垂れ下がりを確実になくすことができるので、便器内に接触してパンツ型装着物が汚れることを確実に防止できる。
【００２１】
本発明においては、前記パンツ型装着物が装着されたときに、前記第１結合手段及び第２結合手段が被装着者の脇腹領域よりも前記腹側領域に寄っていることが好ましい。これにより、介護者は被介護者にパンツ型装着物をより装着し易くなる。
【００２２】
本発明においては、前記パンツ型装着物が装着されたときに、前記第３結合手段が被装着者の股間領域から前記腹側領域に寄っていることが好ましい。これにより、介護者は被介護者にパンツ型装着物をより装着し易くなる。
【００２３】
本発明においては、前記前側生地は形状及び／又はサイズの異なる複数種類を有し、被装着者の体型によって交換可能であることが好ましい。これにより、被装着者の体型に合わせてパンツ型装着物をぴったり装着することができる。
【００２４】
本発明においては、前記パンツ型装着物は、介護用パンツ、介護用オムツ、子供用オムツ、産褥ショーツの何れかである。これは、本発明のパンツ型装着物の好ましい使用用途例を挙げたものである。
【発明の効果】
【００２５】
本発明のパンツ型装着物によれば、装着状態での排尿や排便、装着時の介護者の負担軽減、及び排尿又は排便での汚れ防止の全てを満足することができる。
【図面の簡単な説明】
【００２６】
【図１】本発明のパンツ型装着物の一例である介護用パンツの斜視図
【図２】本発明のパンツ型装着物の一例である介護用オムツの斜視図
【図３】本発明のパンツ型装着物の分解図
【図４】本発明のパンツ型装着物を装着させる場合の組み立て図
【図５】本発明のパンツ型装着物における第１〜第３結合手段に形成した識別手段説明図
【図６】本発明のパンツ型装着物において複数の前側生地を設けた説明図
【図７】狭いトイレで介護者が被介護者にパンツ型装着物を装着する手順図
【図８】被介護者が便座に座って排尿や排便をする場合のパンツ型装着物の使用方法の説明図
【発明を実施するための形態】
【００２７】
以下、添付図面にしたがって本発明のパンツ型装着物の好ましい実施の形態について説明する。
本発明は以下の好ましい実施の形態により説明される。本発明の範囲を逸脱すること無く、多くの手法により変更を行うことができ、本実施の形態以外の他の実施の形態を利用することができる。したがって、本発明の範囲内における全ての変更が特許請求の範囲に含まれる。
【００２８】
ここで、図中、同一の記号で示される部分は、同様の機能を有する同様の要素である。また、本明細書中で、数値範囲を「  〜  」を用いて表す場合は、「  〜  」で示される上限、下限の数値も数値範囲に含むものとする。
【００２９】
図１は、本発明のパンツ型装着物の実施の形態の一例である介護用パンツの斜視図であり、図２は介護用オムツの斜視図である。本発明のパンツ型装着物は、介護用パンツ、介護用オムツ以外にも、子供用オムツ、産褥ショーツ等として好適に使用することができる。
図３はパンツ型装着物の分解図であり、図４はパンツ型装着物を分解状態から組み立てるステップを示したものである。
【００３０】
図１〜図３に示すように、本発明のパンツ型装着物１０は、主として、腹側領域を覆う前側生地１２と、背側領域から股間領域を覆う連続した後側生地１４と、前側生地１２の左右方向の一端部に形成された結合部と、後側生地１４の背側部分１４Ａの左右方向の一端部に形成された結合部とを着脱自在に結合する第１結合手段１６と、前側生地１２の左右方向の他端部に形成された結合部と、後側生地１４の背側部分１４Ａの左右方向の他端部に形成された結合部とを着脱自在に結合する第２結合手段１８と、前側生地１２の下端部に形成された結合部と、後側生地１４の股間部分１４Ｂの下端部に形成された結合部とを着脱自在に結合する第３結合手段２０と、を有し、第１結合手段１６の結合及び第２結合手段１８の結合により筒体状の胴部開口２２を形成し、第３結合手段２０の結合により一対の脚部開口２４、２４を形成するように構成される。
【００３１】
第１結合手段１６、第２結合手段１８、第３結合手段２０は、簡単に着脱可能に結合できればどのような結合手段でもよいが、例えば面ファスナー(例えばマジックテープ：登録商標)、粘着テープ、小鉤等を好適に使用できる。特にフック面として形成された結合部とループ面として形成された結合部とが結合する面ファスナーが好適であり、本実施の形態では面ファスナーの例で以下に説明する。
【００３２】
図３（Ａ）及び図３（Ｂ）は、前側生地１２及び後側生地１４を外面側から見た図である。
ここで、外面側とはパンツ型装着物１０を装着した被装着者の肌に触れない面であり、内面側とは肌に触れる面を言うことにする。
【００３３】
図３（Ａ）及び図３（Ｂ）に示すように、前側生地１２は、矩形の下側に逆台形が連続した形状に形成され、逆台形の両縁１２Ａ，１２Ａは内側に凹状の湾曲形状に形成される。また、後側生地１４は、横方向に長い背側部分１４Ａと縦方向に長い股間部分１４Ｂとにより略Ｔ字形状に形成され、背側部分１４Ａから股間部分１４Ｂに至る両縁１４Ｃ，１４Ｃは内側に凹状の湾曲形状に形成される。
【００３４】
前側生地１２及び後側生地１４の生地素材としては、パンツ型装着物１０が介護用パンツや産褥ショーツの場合には、肌触りが良く洗浄乾燥できることが好ましく、通常の下着と同程度の生地素材を使用することができる。例えば、綿、ウール等の天然繊維、ナイロン、ポリエステル、ポリエチレン等の合成繊維や，これらの混紡繊維等があり、不織布、織物、編み物等の何れでもよい。
【００３５】
また、パンツ型装着物１０が介護用オムツや子供用オムツの場合には、通気性が良く水分を通さない素材で形成された通常のオムツ素材を使用することができる。例えば、表面材（ポリオレフィン、ポリエステル不織布等）、吸水材（綿状パルプ、高分子吸収材、ポリオレフィン不織布等）、防水材（ポリオレフィンフィルム等）を層構成としたものを使用することができる。
【００３６】
図３（Ａ）及び図３（Ｂ）に示すように、前側生地１２の左右方向の右端部における内面側(図３の裏面側)には、第１結合手段１６を構成する面ファスナーの結合部であるフック面１６Ｂが設けられ、左端部における内面側(図３の裏面側)には、第２結合手段１８を構成する面ファスナーの結合部であるフック面１８Ｂが設けられる。
【００３７】
一方、後側生地１４の背側部分１４Ａの左右方向の右端部における外面側(図３の表面側)には、第２結合手段１８を構成する面ファスナーの結合部であるループ面１８Ａが設けられ、左端部における外面側(図３の表面側)には、第１結合手段１６を構成する面ファスナーの結合部であるループ面１６Ａが設けられる。
【００３８】
また、前側生地１２の下端部における外面側(図３の表面側)には、第３結合手段２０を構成する面ファスナーの結合部であるループ面２０Ａが設けられ、後側生地１４の股間部分１４Ｂの下端部における内面側(図３の裏面側)には、第３結合手段２０を構成する面ファスナーの結合部であるフック面２０Ｂが設けられる。
【００３９】
これにより、図４（Ａ）に示すように、後側生地１４の背側部分１４Ａの左右両端部を対向するように内面側に折り返す。そして、後側生地１４の外面側と前側生地１２の内面側とが対向するように前側生地１２を重ね合わせ、第１結合手段１６のループ面１６Ａとフック面１６Ｂ、及び第２結合手段１８のループ面１８Ａとフック面１８Ｂとを結合することにより、筒体状の胴部開口２２（図１参照）を形成する。
【００４０】
更に、図４（Ｂ）に示すように、後側生地１４の股間部分１４Ｂの下端部を内面側に折り返し、第３結合手段２０のフック面２０Ｂを前側生地１２の下端部のループ面２０Ａに結合することにより、一対の脚部開口２４、２４（図１参照）を形成する。
これにより、図１又は図２のパンツ型装着物１０を組み立てることができる。
【００４１】
なお、第１結合手段１６、第２結合手段１８、及び第３結合手段２０のフック面１６Ｂ、１８Ｂ、２０Ｂとループ面１６Ａ、１８Ａ、２０Ａは、前側生地１２と後側生地１４とにおいてフック面１６Ｂ、１８Ｂ、２０Ｂとループ面１６Ａ、１８Ａ、２０Ａとが対になればよい。したがって、上述のように、第１結合手段１６及び第２結合手段１８のフック面１６Ｂ、１８Ｂを前側生地１２に形成し、第３結合手段２０のフック面２０Ｂを後側生地１４に形成したのは一例であり、これに限定されない。
【００４２】
しかしながら、フック面が肌に触れると被装着者はチクチクした不快感を覚える。よって、ループ面とフック面の組み合わせは、フック面が被装着者の肌に触れないように、即ち、フック面が肌側に向かず、外側に向くように（フック面はパンツ型装着物１０の外面側に配置するように）構成することが望ましい。
【００４３】
図３の例では、１６Ｂ、１８Ｂ、２０Ｂをループ面とし、１６Ａ、１８Ａ、２０Ａをフック面とすることにより、フック面とループ面が少しずれて装着されても、被装着者の肌側の面となり、肌と接触する可能性のある１６Ｂ、１８Ｂ、２０Ｂがループ面となるので、被装着者は、チクチクした不快感を覚えることがない。
【００４４】
あるいは、後側生地１４の１６Ａ、１８Ａ及び前側生地１２の２０Ａは、生地の先端部よりも内側に寄って形成してもよい。内側に寄る寸法としては、後側生地１４の１６Ａ、１８Ａ及び前側生地１２の２０Ａとそれぞれ結合する、前側生地１２の１６Ｂ、１８Ｂ及び後側生地１４の２０Ｂの幅（生地端部側の辺からその辺と対向する辺までの距離）をαとするとα／２以上で有ることが好ましく、α以上で有ることがより好ましい。
【００４５】
その理由は、内側にα以上の距離寄れば、フック面とループ面とがどれだけずれて結合しても、フック面が肌に触れることがないからである。また、フック面とループ面とを結合させるとき、その強度を持たせるために、フック面の幅αの１／２以上ずらして結合させることはあまり考えられないので、実質的には、内側にα／２以上ループ面をずらして構成することにより、フック面が肌に触れることはない。
【００４６】
また、図１に示すように、被装着者がパンツ型装着物１０を装着したときに、第１結合手段１６の結合位置及び第２結合手段１８の結合位置が被装着者の脇腹領域Ａよりも腹側領域Ｂに寄った位置になるように、図３に示す後側生地１４の上端幅Ｗ１と前側生地１２の上端幅Ｗ２とが設定される。例えば、第１結合手段１６及び第２結合手段１８の結合位置（面ファスナー幅の中央位置）は、被装着者がパンツ型装着物１０を装着したときに、脇腹領域Ａよりも腹側領域Ｂに３０〜６０ｍｍ寄った位置が好ましい。
【００４７】
その理由は、仰向けに寝ている状態の被装着者からパンツ型装着物１０を脱着する場合、第１結合手段１６の結合位置と第２結合手段１８の結合位置とが脇腹領域Ａにあると、これらは被装着者の体の下に一部隠れることになり得るので、介護者は被装着者の体の下に手を入れて第１結合手段１６のループ面１６Ａとフック面１６Ｂとを取り外す必要があるからである。第２結合手段１８のループ面１８Ａとフック面１８Ｂも同様である。
【００４８】
これに対して、第１結合手段１６の結合位置と第２結合手段１８の結合位置とが脇腹領域Ａよりも腹側領域Ｂに寄った位置にあることにより、第１結合手段１６と第２結合手段１８とは、仰向けに寝ている状態の被装着者の体の下に隠れないので、介護者は、容易に第１結合手段１６の脱着と第２結合手段１８の脱着とを行うことができる。
【００４９】
本発明者は、鋭意研究により、第１結合手段１６及び第２結合手段１８の結合位置（面ファスナー幅の中央位置）を脇腹領域Ａよりも腹側領域Ｂに３０〜６０ｍｍ寄った位置にすることにより、日本人の体型においてはほとんどの場合において、被装着者が仰向けに寝ている状態において、第１結合手段１６及び第２結合手段１８の結合位置が被装着者の体の下に隠れることはないことを見いだした。
【００５０】
また、図１に示すように、被装着者がパンツ型装着物１０を装着したときに、第３結合手段２０の結合位置が被装着者の股間領域Ｃよりも腹側領域Ｄに寄った位置になるように、図３に示す後側生地１４の縦方向の長さＨ１と前側生地１２の縦方向の長さＨ２とが設定される。例えば、第３結合手段２０の結合位置（面ファスナー幅の中央位置）は、被装着者がパンツ型装着物１０を装着したときに、股間下端位置から５０〜１００ｍｍ腹側領域Ｄに寄った位置が好ましい。
【００５１】
その理由は、第３結合手段２０も第１結合手段１６、第２結合手段１８と同様に、被装着者が仰向けに寝ている状態で第３結合手段２０の結合位置が被装着者の体の下にならないように、即ち、第３結合手段２０の結合位置が被装着者の股間領域Ｃよりも腹側領域Ｄに寄った位置になるように、図３に示す後側生地１４の縦方向の長さＨ１と前側生地１２の縦方向の長さＨ２とが設定されることにより、介護者は仰向けに寝ている状態の被装着者の第３結合手段２０を容易に脱着することができるからである。
【００５２】
本発明者は、鋭意研究により、被装着者がパンツ型装着物１０を装着したときに、第３結合手段２０の結合位置（面ファスナー幅の中央位置）を、股間下端位置から５０〜１００ｍｍ腹側領域Ｄに寄った位置にすることにより、日本人の体型においてはほとんどの場合において、被装着者が仰向けに寝ている状態において、第１結合手段１６及び第２結合手段１８の結合位置が被装着者の体の下に隠れることはないことを見いだした。
【００５３】
また、図３（Ａ）に示すように、前側生地１２の上部位置外面側（図３の表面側）には前側生地１２を外側に折り返して着脱自在に固定する第１固定手段２８を有する。上述のように、前側生地１２の第３結合手段２０が面ファスナーのループ面２０Ａの場合には、第１固定手段２８はフック面２８Ａとする。
【００５４】
また、図３（Ｂ）に示すように、後側生地１４の背側部分１４Ａにおける外面側（図３の表面側）には、股間部分１４Ｂを外側に折り返して着脱自在に固定する第２固定手段２６を有する。この場合、上述のように、後側生地１４の股間部分１４Ｂの下端部の内面側に形成する第３結合手段２０がフック面２０Ｂの場合には、第２固定手段２６はループ面２６Ａとする。
【００５５】
なお、図３（Ｂ）では、後側生地１４の股間部分１４Ｂの下端部の内面側（図３の裏面側）に形成した第３結合手段２０を利用して、第２固定手段２６に固定するようにした。しかし、後側生地１４の股間部分１４Ｂの下端部の外面側（図３の表面側）に第２固定手段２６のループ面２６Ａと対になる専用のフック面（図示せず）を設けるようにしてもよい。
また、第１結合手段１６、第２結合手段１８、及び第３結合手段２０は、互いに識別可能な識別手段を有している。
【００５６】
図５は識別手段の一例を示したものであり、第１結合手段１６、第２結合手段１８、及び第３結合手段２０の形状を変えることにより識別可能とした場合である。即ち、第１結合手段１６は後側生地１４及び前側生地１２にそれぞれ形成されるループ面１６Ａとフック面１６Ｂとが１本の縦方向の隙間１６Ｃ、１６Ｄ（面ファスナーが形成されない部分）を挟んだ２本の縦線形状で形成される。また、第２結合手段１８は後側生地１４及び前側生地１２にそれぞれ形成されるループ面１８Ａとフック面１８Ｂとが１本の横方向の隙間１８Ｃ、１８Ｄを挟んだ２本の横線形状に形成される。また、第３結合手段２０は後側生地１４及び前側生地１２にそれぞれ形成されるフック面２０Ｂとループ面２０Ａに隙間を有しない形状に形成される。
【００５７】
また、別の態様の識別手段としては、第１結合手段１６、第２結合手段１８、及び第３結合手段２０の色を変えることにより識別可能とすることも好ましい。例えば、第１結合手段１６は後側生地１４及び前側生地１２にそれぞれ形成されるループ面１６Ａとフック面１６Ｂとの色を黄色にする。また、第２結合手段１８は後側生地１４及び前側生地１２にそれぞれ形成されるループ面１８Ａとフック面１８Ｂとの色を赤色にする。また、第３結合手段２０は後側生地１４及び前側生地１２にそれぞれ形成されるフック面２０Ｂとループ面２０Ａとの色を青色にする。
【００５８】
これにより、第１結合手段１６、第２結合手段１８、及び第３結合手段２０を互いに識別できるので、例えば、第１結合手段１６のフック面１６Ｂと第２結合手段１８のループ面１８Ａを間違って結合したり、第１結合手段１６のフック面１６Ｂと第３結合手段２０のループ面２０Ａとを間違って結合したりすることはない。
【００５９】
このように、第１結合手段１６、第２結合手段１８、及び第３結合手段２０は、互いに識別可能な識別手段を有することにより、後側生地１４及び前側生地１２にそれぞれ形成される結合すべきフック面とループ面とが一目で分かるので、間違いなく且つ迅速に結合することができる。
【００６０】
図６は、本発明のパンツ型装着物１０の別態様として、前側生地１２が形状及び／又はサイズの異なる複数種類のスペアーを有し、被装着者の体型によって交換可能であるように構成したものである。この場合、後側生地１４の形状及び／又はサイズは１種類とすることが好ましい。
【００６１】
図６（Ａ）の後側生地１４と図６（Ｂ）の前側生地１２との組み合わせは、上記説明したものと同じであるが、図６（Ｃ）及び図６（Ｅ）は前側生地１２のサイズを変えた一例であり、図６（Ｄ）は形状を変えた一例である。即ち、図６（Ｃ）の前側生地１２は、図６（Ｂ）の前側生地１２の上端幅Ｗ２よりも上端幅Ｗ３を大きく形成したものである。また、図６（Ｄ）の前側生地１２は、図６（Ｂ）の前側生地１２と上端幅Ｗ２及び縦方向の長さＨ２は同じであるが、逆台形の両縁１２Ａに形成される湾曲形状の窪みを無くして直線状にしたものである。また、図６（Ｅ）の前側生地１２は、図６（Ｂ）の前側生地１２と上端幅Ｗ２は同じであるが、縦方向の長さＨ２よりも縦方向の長さＨ３を長くしたものである。
【００６２】
図６（Ａ）〜図６（Ｅ）は、前側生地１２の形状及び／又はサイズを変えた一例であり、これだけに限定するものではない。
このように、前側生地１２が形状及び／又はサイズの異なる複数種類のスペアーを有することにより、被装着者の体型、例えば太っておりパンツ型装着物１０に大きな胴部開口２２や脚部開口２４、２４を必要とする場合、あるいは体型の変化により胴部開口２２や脚部開口２４、２４の適切な大きさが変化してしまった場合等に対応することができる。
【００６３】
このように、パンツ型装着物１０は、前側生地１２と後側生地１４とを分離した構造としたことにより、前側生地１２が形状及び／又はサイズの異なる複数種類のスペアーを有することが可能となる。
【００６４】
これにより、被装着者の体型に合わせることができるので、被介護者に装着したときに体型にフィットし、失禁等の汚物が外部に漏れにくくなる。
なお、図示しなかったが、本発明の実施の形態のパンツ型装着物１０は、後側生地１４の股間部分１４Ｂの内面側に、尿を吸収する尿とりパッドを保持する例えばポケット等の保持構造を備えるようにしてもよい。
【００６５】
次に、介護者が被介護者Ｍ(パンツ型装着物１０を装着する被装着者と同じ)を介護する上で、上記の如く形成された本発明の実施の形態のパンツ型装着物１０を使用する利点を説明する。
【００６６】
（狭いトイレ内でパンツ型装着物を装着させる場合）
狭いトイレ３０内で男性の被介護者Ｍが介護者(図示せず)に付き添われ、立った状態で男性用の便器３２に排尿した時にパンツ型装着物１０を汚してしまった場合である。この場合には、介護者がトイレ３０内で汚れたパンツ型装着物１０を被介護者Ｍから取り外し、新しいパンツ型装着物１０を被介護者Ｍに装着する。
【００６７】
図７は、介護者が、狭いトイレ３０内で新しいパンツ型装着物１０を被介護者Ｍに装着する一例の図である。なお、図７（Ａ）及び図７（Ｄ）に示すパンツ型装着物１０の展開図は前側生地１２及び後側生地１４ともに外面側から見た図である。３４は被介護者Ｍのズボンであり、足の下部まで下ろされている。
【００６８】
また、被介護者Ｍは介護者に対して横向きに立っており、トイレ３０の中での便器３２の向き等の関係で介護者が、図７の表面側からしか被介護者Ｍにパンツ型装着物１０を装着できない場合について説明する。
この場合は先ず、図７（Ａ）に示すように、介護者はパンツ型装着物１０の第１結合手段１６だけを予め結合し、前側生地１２と後側生地１４とを繋げた展開状態にしておく（第１手順）。
【００６９】
次に、図７（Ｂ）に示すように、介護者は展開状態のパンツ型装着物１０の内面側が被介護者Ｍに接触するようにして被介護者Ｍの腰Ｎに図７の裏面側から表面側に回す。そして、図７（Ｃ）に示すように、第２結合手段１８を結合する（第２手順）。
これにより、パンツ型装着物１０は被介護者Ｍの腰Ｎから脱落しないようになる。
【００７０】
したがって、介護者は、両手を使って図７（Ｃ）の矢印で示すように、後側生地１４の股間部分１４Ｂを被介護者Ｍの股に通して、股間部分１４Ｂの下端部と前側生地１２の下端部とを第３結合手段２０で結合することができる。
【００７１】
これに対して、従来技術で説明した両サイドにのみ結合手段がある従来のパンツ型装着物は、装着時にパンツ型装着物を被介護者Ｍの股間を通した後、一方の手でパンツ型装着物１０が脱落しないように押さえながら、他方の手で両サイドの結合手段を順番に結合しなくてはならない。
【００７２】
したがって、本発明の実施の形態のパンツ型装着物１０は、従来のように一方の手でパンツ型装着物を落ちないように押さえる煩わしさがないので、装着時の負担を顕著に軽減できる。
【００７３】
また、第１結合手段１６、第２結合手段１８、及び第３結合手段２０は、互いに識別可能な識別手段を有する。これにより、後側生地１４及び前側生地１２にそれぞれ形成される結合すべきフック面とループ面とが一目で分かるので、間違いなく且つ迅速に結合することができる。
【００７４】
また、第１結合手段１６、第２結合手段１８、及び第３結合手段２０の結合位置（面ファスナー幅の中央位置）が、被介護者Ｍがパンツ型装着物１０を装着したときに、脇腹領域Ａよりも腹側領域Ｂに３０〜６０ｍｍ寄った位置、及び股間下端位置Ｃから５０〜１００ｍｍ腹側領域Ｄに寄った位置にある。これにより、結合が容易になるので迅速に結合できる。
【００７５】
ちなみに、被介護者Ｍは介護者の肩等に手を置いて体を支えながら、介護者にパンツ型装着物１０を装着させてもらうことが多く、介護者と被介護者Ｍとは近接した状態にある。したがって、第１結合手段１６及び第２結合手段１８の結合位置が被介護者Ｍの脇腹位置にあると、介護者の手が窮屈になり装着させにくい。
【００７６】
ここで、図7において、被介護者Ｍの右側から介護者がパンツ型装着物１０を装着させる場合を説明したが、トイレ３０の中での便器３２の向きにより被介護者Ｍの左側からしか介護できない場合もあり得る。そのような場合においても本発明のパンツ型装着物１０は、前側生地１２と後側生地１４とは、左右方向いずれの側も脱着自在に構成されているので、被介護者Ｍのどの向きからも介護者は容易にパンツ型装着物１０を装着させることができる。
【００７７】
例えば、被介護者Ｍの左側から介護者がパンツ型装着物１０を装着させる場合は、介護者はパンツ型装着物１０の第２結合手段１８だけをあらかじめ結合し、前側生地１２と後ろ側生地１４とを繋げた展開状態にしておく。次に、介護者は展開状態のパンツ型装着物１０を内面側が被介護者Ｍに接触するようにして被介護者Ｍの腰Ｎに裏側面から表面側に回す。そして、第１結合手段１６を結合することによって介護者はパンツ型装着物１０を被介護者Ｍに容易に装着することができる。
【００７８】
便器３２の向きに限らず、被介護者Ｍの体の麻痺の状態や、障害の状態によっては、特定の方向からしか介護できない場合や、特定の方向から介護した方が良い場合などがあり得るが、本発明のパンツ型装着物１０は、第１結合手段１６と第２結合手段１８と第３結合手段２０を備えているので、パンツ型装着物１０の左右及び下部のいずれもが脱着自在であり、被介護者Ｍのどちらの方向からもパンツ型装着物１０の着脱、パンツ型装着物１０に設置した尿とりパッド等の取り替えを行うことができる。
【００７９】
なお、上述したパンツ型装着物１０を使用する利点の説明は、狭いトイレ３０内で介護者が被介護者Ｍの体の一方の側方側からパンツ型装着物１０を被介護者Ｍに装着する例で説明した。しかし、片麻痺を有する被介護者Ｍに対するパンツ型装着物１０の装着は、麻痺の有る側方側から行う方がやり易く、上記の狭いトイレ３０内での装着と同様に行うことができる。
【００８０】
（被介護者が便座に座って排尿又は排便をする場合）
図８（Ａ）〜図８（Ｃ）は、被介護者Ｍが便座３６に座って排尿又は排便をする場合の介護者の介護ステップを図示したものである。
【００８１】
先ず、図８（Ａ）に示すように、介護者は被介護者Ｍが立った状態で被介護者Ｍのズボン３４を足の下部まで下ろす。そして、介護者は被介護者Ｍに装着されたパンツ型装着物１０の第３結合手段２０を脱着（外す）する（第１ステップ）。
【００８２】
次に、図８（Ｂ）に示すように、脱着した後側生地１４の股間部分１４Ｂを外側に折り返し、股間部分１４Ｂの下端部に形成された第３結合手段２０のフック面２０Ｂを、背側部分１４Ａの上部位置の外側面に形成された第２固定手段２６であるループ面２６Ａに固定する（第２ステップ）。
【００８３】
更に、図８（Ｂ）に示すように、前側生地１２を外側に折り返し、前側生地１２の下端部に形成された第３結合手段２０のループ面２０Ａを、前側生地１２の上部位置の外側面に形成された第１固定手段２８であるフック面２８Ａに固定する（第３ステップ）。
なお、第２ステップと第３ステップとは何れを先に行ってもよい。
【００８４】
上記第１ステップ〜第３ステップが終了したら、図８（Ｃ）に示すように、介護者は被介護者Ｍを便座３６に座らせて、排尿や排便をさせる。
これにより、本発明の実施の形態のパンツ型装着物１０を装着したままで、便座３６に座って排尿及び排便を行うことができる。
【００８５】
また、本発明の実施の形態のパンツ型装着物１０は、上記第２ステップ及び第３ステップにより、便座３６に座った被介護者Ｍが装着したパンツ型装着物１０の一部が便座３６内に長く垂れ下がって汚れてしまうことがない。
これに対して、従来技術で説明した従来の介護用パンツ(特許文献２)は、股間部分に連続して更に覆い部が垂れ下がるので、便座３６内に接触し易く、汚れやすい。
【００８６】
また、本実施の形態では、パンツ型装着物１０が第１固定手段２８及び第２固定手段２６を備えた場合で説明したが、第１固定手段２８及び第２固定手段２６が無い場合であっても、垂れ下がるのは股間部分１４Ｂのみなので、従来の介護用パンツ(特許文献２)のよりも垂れ下がりを少なくできる。
【００８７】
このように、本発明の実施の形態のパンツ型装着物１０は、装着状態での排尿や排便、装着時の介護者の負担軽減、及び排尿又は排便での汚れ防止の全てを満足することができる。
また、本発明の実施の形態のパンツ型装着物１０は、被介護者Ｍがベッド等に寝たきりの場合、第３結合手段２０のみを脱着して排尿しているかを調べたり、尿とりパッドを交換したりすることができる。
【００８８】
なお、本実施の形態では、パンツ型装着物として介護用パンツの例で説明したが、介護用オムツ、子供用オムツ、産褥ショーツの場合も同様の利点がある。例えば、パンツ型装着物１０が子供用オムツである場合には、特に、トイレで排尿や排便をするトレーニング用のオムツとして好適である。
【００８９】
また、本発明のパンツ型装着物１０は、以下の効果も有する。
・狭いトイレでも、介護者がどこの位置にいても、交換が容易である。
・トイレの介助時にパンツ型装着物が汚れても、ズボンや靴を着脱することなく交換が容易なので、介護者、被介護者双方の負担を減少させることができる。
・先にウエスト部を装着させることができるので、被介護者が立っている時間が少なくてすむ。
・本発明のパンツ型装着物は、下に下ろさずに外すことが可能なので、足を広げやすく、被介護者は、安定した姿勢を保ちやすい。
・本発明のパンツ型装着物は、従来のパンツや、従来のオムツと同様の使用法もできる。
・腰が曲がっている被介護者の場合においても本発明のパンツ型装着物の場合、装着の際に引っ張り上げる必要が無いので、つけやすく、被介護者もふらつきにくい。
・これら上記の効果を有するため、トイレ介助がしやすくなり、失敗を恐れずに、積極的に自尿を促すことができ、被介護者の自尊心も保たれる。
・トイレ介助がしやすくなることにより、ベッドからの離床が促され、体力向上が期待できる。
・トイレ介助がしやすくなることにより、パンツ型装着物が濡れることや汚れることが少なくなり、褥瘡（床ずれ）の軽減が期待できる。
・失禁パットやナプキンとも併用しやすく、本発明のパンツ型装着物は、使い捨ての紙製だけでなく、布製で作製することもできるので、コストの低減、資源の使用を減少させることができる。
・本発明のパンツ型装着物は、ベッドでの交換時においても使いやすい。
・本発明のパンツ型装着物は、失禁の方、産褥の方など、乳幼児から老人まで性別や年齢に関係なく使用することができる。
・本発明のパンツ型装着物は、乳幼児は、オムツを嫌がり逃げたりすることもあるが、先にウエスト部分を腰から回すようにつけることで、逃げられづらく、迅速に交換することができる。
・本発明のパンツ型装着物は、上記効果を有するため、在宅介護の助けになり、在宅介護を行う人の負担を軽減し、在宅介護される側の負担も軽減することができる。
【符号の説明】
【００９０】
１０…パンツ型装着物
１２…前側生地
１２Ａ…両縁
１４…後側生地
１４Ａ…背側部分
１４Ｂ…股間部分
１４Ｃ…両縁
１６…第１結合手段
１８…第２結合手段
２０…第３結合手段
１６Ａ，１８Ａ，２０Ａ…面ファスナーのループ面
１６Ｂ，１８Ｂ，２０Ｂ…面ファスナーのフック面
２２…胴部開口
２４…脚部開口
２６…第２固定手段
２８…第１固定手段
３０…トイレ
３２…便器
３４…ズボン
３６…便座
【要約】
【課題】装着状態での排尿や排便、装着時の介護者の負担軽減、及び排尿又は排便での汚れ防止の全てを満足するパンツ型装着物を提供する。
【解決手段】腹側領域を覆う前側生地１２と、背側領域から股間領域を覆う連続した後側生地１４と、前側生地１２の左右方向の一端部に形成された結合部と後側生地１４の背側部分の左右方向の一端部に形成された結合部とを着脱自在に結合する第１結合手段１６と、前側生地１２の左右方向の他端部に形成された結合部と後側生地の背側部分１４Ａの左右方向の他端部に形成された結合部とを着脱自在に結合する第２結合手段１８と、前側生地１２の下端部に形成された結合部と後側生地１４の股間部分１４Ｂの下端部に形成された結合部とを着脱自在に結合する第３結合手段２０と、を有する。
【選択図】図３【図１】
0006050541.tif 000002
【図２】
0006050541.tif 000003
【図３】
0006050541.tif 000004
【図４】
0006050541.tif 000005
【図５】
0006050541.tif 000006
【図６】
0006050541.tif 000007
【図７】
0006050541.tif 000008
【図８】
0006050541.tif 000009